(57)【要約】【課題】  壁面上部に巻き込む被り型とせずに、開放型でありながら防水性と水切り性を維持しつつ、被り型とは異なる独自外観の意匠性を発揮させる笠木を提供する。【解決手段】  設置状態で笠木１の天板１１を躯体外壁面５２よりも外方に張出した出巾Ａを持って形成し、ホルダー２との連結部として内外係止片１２、１３を形成し、外係止片は、出巾分からさらに入巾Ｂ分だけ外壁面位置から内方に入った天板中間部から垂下形成し、内係止片は、外係止片からホルダー分さらに内方部位に垂下形成し、ホルダーは固着面２１の両端部に内外係合部２２、２５を立ち上げて形成し、ホルダーを天端面５１内方に固着し、このホルダーに笠木を係止し、天板と躯体天面との間に空間Ｃが維持されるようにした。【選択図】      図１
2005083119.tif 000002
【特許請求の範囲】
【請求項１】
笠木設置状態において笠木の天板を躯体外壁面よりも外方に張出した出巾を持って形成し、躯体天面に固定して笠木を支持するホルダーとの連結部を、天板下面の中間部乃至内方部位であって上記出巾分よりも内方部位から垂下形成し、かつ天板と躯体天面との間に空間が維持されるようにホルダーに係止する構成を有してなる笠木。
【請求項２】
連結部は、天板下面から垂下させた笠木の長尺方向に平行な少なくとも２本の内外係止片を、両係止片間にホルダーが配置して連結されるように形成した構成を有してなる請求項１に記載の笠木。
【請求項３】
連結部と躯体天面との間の間隙を塞ぐガスケットを笠木と同方向の長尺状に形成し、このガスケットを連結部下部に固定させて構成を有してなる請求項１又は２に記載の笠木。
【請求項４】
天板を水平状に形成するとともに、その上面を外端から内端に下り勾配をもって形成してなる構成を有する請求項１〜３のいずれかに記載の笠木。
【請求項５】
天板を水平状に形成するとともに、その下面を外係止片付近から外端に向かって下り勾配をもって形成してなる構成を有する請求項１〜４のいずれかに記載の笠木。
【請求項６】
天板下面と躯体天面との間に外側方向に開放した空間を保ち、躯体外壁面から連結部乃至外係止片に至る空間の奥行きとしての入巾を、該空間の上下間隔以上に形成してなる構成を有する請求項１〜５のいずれかに記載の笠木。
【発明の詳細な説明】
【技術分野】
【０００１】
本発明は、建造物のパラペット天端部などに装着する笠木に関する。
【背景技術】
【０００２】
従来の笠木は、パラペット天端部を防水し、その劣化を防ぐために、天板の内外両側にパラペットの内外壁面上部に被るような側板を垂下形成して、いわゆる下向きコの字状断面とした笠木を用いていた。また、天端部の装飾としては、屋外に対する装飾性を高めるために笠木の屋外側の側板部外側に立体形に象った装飾板を装着することが行われていた。これらは例えば下記の特許文献に開示されている。
【特許文献１】特開平９−４１６００号公報
【特許文献２】特開２０００−８３３２号公報
【発明の開示】
【発明が解決しようとする課題】
【０００３】
本発明は、上記のような考え方とは異なる着想に立ち、壁面上部に巻き込むような被り型とせずに、開放型でありながら防水性と水切り性も維持しつつ、被り型とは異なる独自外観の意匠性を発揮させる構成の笠木を提供せんとするものである。
【課題を解決するための手段】
【０００４】
上記課題を達成するために、本発明は、笠木設置状態において笠木の天板を躯体外壁面よりも外方に張出した出巾を持って形成し、躯体天面に固定して笠木を支持するホルダーとの連結部を、天板下面の中間部乃至内方部位であって上記出巾分よりも内方部位から垂下形成し、かつ天板と躯体天面との間に空間が維持されるようにホルダーに係止する構成として、笠木を形成したことを特徴とするものである。
上記連結部は、天板下面から垂下させた笠木の長尺方向に平行な少なくとも２本の内外係止片を、両係止片間にホルダーが配置して連結されるように形成したものとするのが好ましい。
また、連結部と躯体天面との間の間隙を塞ぐガスケットを笠木と同方向の長尺状に形成し、このガスケットを連結部下部に固定させることができる。
【０００５】
上記天板は水平状（水平以外の傾斜状態を含む）に形成するとともに、その上面を外端から内端に下り勾配をもって形成するのが好ましく、さらに、天板の下面を外係止片付近から外端に向かって下り勾配をもって形成するのが好ましい。
上記天板下面と躯体天面との間に外側方向に開放した空間を保ち、躯体外壁面から連結部乃至外係止片に至る空間の奥行きとしての入巾は、任意でよいが、該空間の上下間隔以上に形成するのが好ましい。
【発明の効果】
【０００６】
本発明の笠木によれば、天板が躯体天面部分を覆いつつ、外壁面上部に被ることなく躯体天面上方から天板を張出させて、外側にシャープな意匠性を出させることができ、天板下側の躯体外壁面上端部及び天端面間に陰影による意匠性を生じさせることができる。しかも、天板の下面内方部位の連結部により、さらにはガスケットによって、固定したホルダーをカバーすることができるので、開放構成としつつ、ホルダー固定のボルト部分などの防水性を維持することができ、また、天板の上面を内側に向けた下り勾配とすることにより雨水を屋外側に流すことなく、外側の下面を逆勾配とすることにより、内方への水の伝い込みを防止し、張出し先端から水を滴下させることにより躯体外壁面を汚さない。
【発明を実施するための最良の形態】
【０００７】
以下、本発明の一例としての実施の形態を図面によって説明する。
図１は本発明に係る笠木の設置構造を示し、図２、３はその分解図、図５〜８は施工過程図、図９は設置外観図を示し、図４は図１の異なる実施形態を示しており、符号１は笠木、２はホルダー、３はガスケット、４は継ぎ目カバー、５は躯体としてのパラペットを示している。
【０００８】
笠木１は、天板１１の下面中間部から外係止片１２を、下面のさらに内方寄り部位から内係止片１３を垂下形成してあり、天板１１はパラペット天端面５１の内外巾よりも広い巾で適宜長さの長尺板とし、その上面１４を外端から内端に向かって水勾配の内下り傾斜面として形成し、外係止片３から外側の下面部分を内から外端に向かって逆勾配の外下り傾斜面１５として形成してある。
外係止片１２は、パラペット外壁面５２位置から外方に張出した笠木の出巾Ａ分と、外壁面位置から内方に入り込んだ入巾Ｂ分の合計巾分だけ、外端から内方に入った笠木中間部の下面部位から垂下形成したものであり、天板長手方向に平行な長尺片とし、その下部内側から内方にホルダー係止部１６を突設し、この係止部１６は付け根付近の上側に係止段部１７を形成するとともに、先端部を膨頭係合部１８として形成してある。内係止片１３は、外係止片１２からホルダー２巾分だけ内方位置の下面部位から垂下するとともに、先端部を外係止片方向に折曲してホルダー係合部１９を形成してある。上記各構成部分はいずれも笠木の長手方向に延びた形状（いわゆる押出し成形の形状）として形成してある。
【０００９】
ホルダー２は、パラペット天端面５１の内外巾分よりも短くかつ短巾の固定面２１を有し、ボルトなどで天端面の内寄り位置に固着されるものであり、固定面２１の外側を立ち上げて適度な高さ位置に、笠木の外係止片１２を受けて外係止片内側に係合する外係合部２２を形成し、この外係合部２２は、笠木の膨頭係合部１８を係止する対応受溝２３と、笠木の係止段部１７と係合する対応段部２４を形成してあり、また、固定面の内側を立ち上げて上記と略同高位置に、笠木の内係止片１３を受けてその外側（外係止片１２側）に係合する内係合部２５を形成し、笠木の係止段部１９に係合する対応係合部２６を形成してある。
上記ホルダー２は、パラペットの外壁面５２位置よりも入巾Ｂ分だけ内方に入った天端面位置で笠木の外係止片１２が支持された状態において、笠木の内係止片１３が天端面の内方寄り位置で支持されるように設定されている。
【００１０】
ガスケット３は、ゴム、合成ゴムなど適度な弾力性を有する長尺材で、笠木の外係止片１２下部とパラペット天端面５１との間隙を塞ぐものであり、笠木のホルダー係止部１６乃至膨頭係合部１８とホルダーの外係合部２２乃至対応受溝２３との間に挟着可能な係止片３２を、筒状の本体３１の上方に突設して形成してある。
なお、継ぎ目カバー４は、笠木１、１の長尺方向の継ぎ目部分を防水するために、笠木下面の内外係止片１２、１３間に接合状態で嵌着するものであり、下向きコの字状の断面形状で適宜長さを有し、その上面に内外方向に平行した多数の凹凸条を形成してある。
【００１１】
なお、上記においては、笠木の天板１１をパラペット天端面５１の内外巾よりも広い巾として形成した例を説明したが、天端面巾と同巾でもよく、天端面巾よりも狭い巾とすることもでき、天端面上方を全面覆わず、天端面の外側寄り部分を覆う形態として形成することができるものであり、これらも本発明に含まれる。
図４は後者の例を示したものであり、笠木の天板１１は、パラペット天端面５１の外側寄り部分を覆い、出巾分だけ外方に張出し、入巾分だけ外壁面５２よりも内方位置において外係止片１２を垂下形成してあり、これに対応して天端面５１の外側寄り部位にホルダー２を固着してある。パラペット面には内壁面から天端面のホルダー固着部まで防水シートを巻き上げ施工しておくのが好ましい。
【００１２】
上記図１に示す笠木の設置構造は図５〜図８に示すようになる。図４の例の場合も同様である。
ホルダー２は、図５の如くパラペット天端面５１の外寄り部分に入巾Ｂ対応分が保てるように、天端面内の中間部位にボルト固着し、天端面の長手方向に所望間隔ごとに設置する。ホルダーの固定面２１に形成したボルト挿通孔を長孔としておけば、笠木装着時に内外方向の位置決めを微調整することができるが、このような手段は任意に形成することができる。
次いで、図６のように、長尺状のガスケット３の係止片３２をホルダーの外係合部２２乃至対応受溝２３部分に嵌め付けて仮止めする。
その上で、図７、８のように、笠木の膨頭係合部１８を、ガスケットの係止片３２を挟着するようにしてホルダーの対応溝部２３に係合させつつ、この係合部を軸として笠木を回転させるようにして、ホルダーの対応係合部２６に笠木のホルダー係合部１９を係止させれば、ホルダー係止部１６が外係合部２２に係合し、内係止部１３が内係合部２５に被嵌して、笠木１がホルダー２に連結して固定され、同時にガスケット３も固着され、設置構造物となる。
【００１３】
なお、上記構成において、笠木の天板１１の出巾Ａと入巾Ｂは、設置状態における天板１１とパラペット天端面間の空間高さＣに対して、Ａ≧Ｃ、Ｂ≧Ｃとなるように構成するのが一層好ましい。これにより、外壁面上部付近に落とす陰影に濃淡と奥行き感を生じさせ、仰視した意匠性を著しく高めることができる。
また、上記例では、ガスケットを外係止片１２と天端面５１との間隙に設置したが、内係止片１３と天端面５１との間にも設置することができる。
【００１４】
上記構成によれば、笠木１の固着は、外係止部１２と内係止部１３とを順次ホルダー２に係合させるだけの簡単な構成で、簡便に取付けることができるものとなる。
笠木の天板１１と内外係止片１２、１３により、さらにはガスケット３により、ホルダー２が防水状態で被覆されるので、パラペット上部を被覆しない開放構成でありながら、また、ホルダー部分も開放構成でありながら、パラペットへの水の浸入を防止することができ、ボルトの腐蝕を防止することができる。
天板１１の上面を内下り傾斜として、雨水を屋外側に流すことなく、外係止片１２より外側の下面を外下り傾斜面として、雨水を外壁面に垂らさず、外壁面を汚さないようにできる。
【００１５】
上記構成とともに、笠木は天板１１が外方に張出し、パラペット外壁面に被ることがなく、壁面に干渉しないので、シャープな外観を生み出すことができ、天板１１の出巾Ａによって笠木下側の外壁面上部付近に陰影を生じさせ、入巾Ｂの空間によって陰影に濃淡と奥行きを生じさせ、笠木装飾としての機能性を一層高め得る。
笠木はホルダーに対して外係止片１２のホルダー係止部１６部分を中心にして内係止片１３を回転して係合する構成なので、熱伸縮による笠木の変形を長手方向に吸収することができる構成となっている。ガスケットは、ホルダー係止部１６と外係合部２２とに挟着されて、簡単装着でありながら確実な固着状態となる。
【図面の簡単な説明】
【００１６】
【図１】本発明に係る笠木の設置状態を示す縦断面図である。
【図２】図１の笠木とホルダーの分解状態を示す縦断面図である。
【図３】図１の継ぎ目カバーを示す分解状態の縦断面図である。
【図４】図１の笠木と異なる実施形態を例示する設置状態の縦断面図である。
【図５】ホルダーの設置状態を示す縦断面図である。
【図６】図５に次いで、ガスケットの設置状態を示す縦断面図である。
【図７】図６に次いで、笠木の設置状態を示す縦断面図である。
【図８】笠木の設置完了状態を示す縦断面図である。
【図９】笠木の設置状態を示す、外側仰角状態の部分外観図である。
【符号の説明】
【００１７】
１  笠木
１１天板、  １２外係止片、  １３内係止片、  １４上面、  １５外下り傾斜面、
１６ホルダー係止部、  １７係止段部、  １８膨頭係合部、  １９ホルダー係合部
２  ホルダー
２１固定面、  ２２外係合部、  ２３対応受溝、  ２４対応段部、  ２５内係合部、  ２６対応係合部、
３  ガスケット
３１本体、  ３２係止片、
４  継ぎ目カバー
５  パラペット
５１天端面、  ５２外壁面、
Ａ  出巾、  Ｂ  入巾、  Ｃ  空間高さ
【図１】
2005083119.tif 000003
【図２】
2005083119.tif 000004
【図３】
2005083119.tif 000005
【図４】
2005083119.tif 000006
【図５】
2005083119.tif 000007
【図６】
2005083119.tif 000008
【図７】
2005083119.tif 000009
【図８】
2005083119.tif 000010
【図９】
2005083119.tif 000011